(57)【要約】本発明は、電力システム及び充電ターミナルを含む充電パイルを開示する。電力システムは、第１電力ユニット、第２電力ユニット、電力制御ユニット、及びヒート・シンクを含む。第１電力ユニットは第２電力ユニットへ接続され、第１電力ユニット及び第２電力ユニットは、同じ出力電圧値及び同じ出力電流値を有する。電力制御ユニットは、２つの電力ユニットの出力電圧及び出力電流を制御するよう構成される。充電ターミナルは、充電制御モジュール、直流分配ユニット、及び充電プラグを含む。充電プラグは、充電されるべきバッテリへ接続し、その充電されるべきバッテリを充電するよう構成される。直流分配ユニットは、充電プラグへ電力供給を割り当てるよう構成される。充電制御モジュールは、充電に課金し表示するよう構成される。本発明の実施形態では、フレキシブル充電電圧及びフレキシブル充電電流が、２つの電力ユニット間のフレキシブル接続を使用することによって、充電されるべきバッテリに供給される。このようにして、充電パイルの容量増大における既存の問題は解消され、充電電圧及び充電電流に対する電動輸送機器のますます高い要求は満たされる。
2019533414.tif 000002
【特許請求の範囲】
【請求項１】
電力システム及び充電ターミナルを有し、
前記電力システムは、第１電力ユニット、第２電力ユニット、電力制御ユニット、ヒート・シンク、第１スイッチ・トランジスタ、第２スイッチ・トランジスタ、及び第３スイッチ・トランジスタを有し、前記第１電力ユニット及び前記第２電力ユニットは、同じ出力電圧値Ｕ及び同じ出力電流値Ｉを有し、前記電力制御ユニットは、前記第１電力ユニット及び前記第２電力ユニットの出力電圧及び出力電流を制御するよう構成され、前記第１スイッチ・トランジスタ、前記第２スイッチ・トランジスタ、及び前記第３スイッチ・トランジスタは、前記第１電力ユニットと前記第２電力ユニットとの間の直列接続又は並列接続を実装するよう構成され、前記ヒート・シンクは、前記電力システムの熱を逃がすよう構成され、
前記充電ターミナルは、充電制御モジュール、直流分配ユニット、及び充電プラグを有し、前記充電プラグは、充電されるべきバッテリへ接続し該充電されるべきバッテリを充電するよう構成され、前記直流分配ユニットは、前記充電プラグへ電力供給を割り当てるよう構成され、前記充電制御モジュールは、前記充電に課金し表示するよう構成される、
充電パイル。
【請求項２】
前記第１スイッチ・トランジスタの第１端は、前記第１電力ユニットの第１端及び前記直流分配ユニットへ接続され、前記第１スイッチ・トランジスタの第２端は、前記第２電力ユニットの第１端へ接続され、前記第２スイッチ・トランジスタの第１端は、前記第１電力ユニットの第２端へ接続され、前記第２スイッチ・トランジスタの第２端は、前記第２電力ユニットの第１端及び前記第１スイッチ・トランジスタの第２端へ接続され、前記第３スイッチ・トランジスタの第１端は、前記第１電力ユニットの第２端及び前記第２スイッチ・トランジスタの第１端へ接続され、前記第３スイッチ・トランジスタの第２端は、前記第２電力ユニットの第２端及び前記直流分配ユニットへ接続される、
請求項１に記載の充電パイル。
【請求項３】
当該充電パイルは、３つの動作モード：
第１動作モード：前記第１電力ユニット及び前記第２電力ユニットが並列接続される充電モード、
第２動作モード：前記第１電力ユニット及び前記第２電力ユニットが直列接続される充電モード、並びに
第３動作モード：前記第１電力ユニット及び前記第２電力ユニットが最初に並列接続され、次に直列接続されるハイブリッド充電モード
を有する、
請求項２に記載の充電パイル。
【請求項４】
前記充電プラグが前記充電されるべきバッテリへ接続される場合に、前記充電制御モジュールは、前記充電されるべきバッテリのバッテリ管理システムＢＭＳ（battery  management  system）と通信し、前記充電されるべきバッテリの充電電圧及び前記充電されるべきバッテリによって必要とされる充電電流を特定し、
前記充電電圧の範囲がＵの値範囲内に入り、且つ、前記充電されるべきバッテリによって必要とされる前記充電電流が第１プリセット閾値よりも大きいか又は等しい場合に、前記充電制御モジュールは、前記電力制御ユニットと通信し、該電力制御ユニットは、前記第２スイッチ・トランジスタを開かれるよう制御し、前記第１スイッチ・トランジスタ及び前記第３スイッチ・トランジスタを閉じられるよう制御して、当該充電パイルが前記第１動作モードに入るようにする、
請求項３に記載の充電パイル。
【請求項５】
前記充電プラグが前記充電されるべきバッテリへ接続される場合に、前記充電制御モジュールは、前記充電されるべきバッテリのバッテリ管理システムＢＭＳと通信し、前記充電されるべきバッテリの充電電圧及び前記充電されるべきバッテリによって必要とされる充電電流を特定し、
前記充電電圧の範囲がＵの値範囲を越え、前記第１電力ユニット及び前記第２電力ユニットが直列接続された後に得られる出力電圧よりも小さく、且つ、前記充電されるべきバッテリによって必要とされる前記充電電流がＩよりも小さい場合に、前記充電制御モジュールは、前記電力制御ユニットと通信し、該電力制御ユニットは、前記第２スイッチ・トランジスタを閉じられるよう制御し、前記第１スイッチ・トランジスタ及び前記第３スイッチ・トランジスタを開かれるよう制御して、当該充電パイルが前記第２動作モードに入るようにする、
請求項３に記載の充電パイル。
【請求項６】
前記充電プラグが前記充電されるべきバッテリへ接続される場合に、前記充電制御モジュールは、前記充電されるべきバッテリのバッテリ管理システムＢＭＳと通信し、前記充電されるべきバッテリの充電電圧及び前記充電されるべきバッテリによって必要とされる充電電流を特定し、
前記充電電圧の範囲がＵの値範囲を越え、且つ、前記充電されるべきバッテリによって必要とされる前記充電電流がＩよりも大きい場合に、前記充電制御モジュールは、前記電力制御ユニットと通信し、該電力制御ユニットは、前記第２スイッチ・トランジスタを開かれるよう制御し、前記第１スイッチ・トランジスタ及び前記第３スイッチ・トランジスタを閉じられるよう制御し、それにより、前記第１電力ユニット及び前記第２電力ユニットは、並列に出力を実行し、前記電力制御ユニットは、前記第１電力ユニット及び前記第２電力ユニットの出力電圧を調整し、
前記充電されるべきバッテリの前記充電電圧がＵの最大値に達する場合に、前記電力制御ユニットは、前記第１スイッチ・トランジスタ及び前記第３スイッチ・トランジスタを開かれるよう制御し、前記第２スイッチ・トランジスタを閉じられるよう制御し、それにより、前記第１電力ユニット及び前記第２電力ユニットは、直列に出力を実行し、当該充電パイルは、前記第３動作モードに入る、
請求項３に記載の充電パイル。
【請求項７】
前記充電ターミナルは、前記電力システムの上又は片側に配置され、前記電力システムとともに一体型の充電パイルを形成するか、あるいは
前記充電ターミナルは、地面の上に独立して配置され、前記電力システムとともに分離型の充電パイルを形成する、
請求項１乃至６のうちいずれか一項に記載の充電パイル。
【請求項８】
前記第１スイッチ・トランジスタ、前記第２スイッチ・トランジスタ、及び前記第３スイッチ・トランジスタは、ＭＯＳＦＥＴ、ＩＧＢＴ、コンタクタ、又はリレーのうちのいずれか１つである、
請求項１乃至７のうちいずれか一項に記載の充電パイル。
【請求項９】
前記第１電力ユニットのパワー・ヒーター及び前記第２電力ユニットのパワー・ヒーターは両方とも、前記ヒート・シンクに取り付けられる、
請求項１乃至８のうちいずれか一項に記載の充電パイル。
【請求項１０】
当該充電パイルは、防水ファンを更に有し、該防水ファンは、前記電力システムの外に配置され、前記ヒート・シンクの熱を逃がすよう構成される、
請求項９に記載の充電パイル。
【請求項１１】
前記電力システムは、支持体として前記ヒート・シンクを使用することによって地面の上に配置されるか、あるいは、前記電力システムは、前記ヒート・シンクを使用することによって壁又は柱に掛けられる、
請求項１乃至１０のうちいずれか一項に記載の充電パイル。
【請求項１２】
前記電力システムは、ＩＰ６５保護設計を使用することによって保護される、
請求項１乃至１１のうちいずれか一項に記載の充電パイル。
【請求項１３】
電力システム及び充電ターミナルを有し、
前記電力システムは、第１電力ユニット、第２電力ユニット、電力制御ユニット、及びヒート・シンクを有し、前記第１電力ユニットは、前記第２電力ユニットへ接続され、前記第１電力ユニット及び前記第２電力ユニットは、同じ出力電圧値Ｕ及び同じ出力電流値Ｉを有し、前記電力制御ユニットは、前記第１電力ユニット及び前記第２電力ユニットの出力電圧及び出力電流を制御するよう構成され、前記ヒート・シンクは、前記電力システムの熱を逃がすよう構成され、
前記充電ターミナルは、充電制御モジュール、直流分配ユニット、及び充電プラグを有し、前記充電プラグは、充電されるべきバッテリへ接続し該充電されるべきバッテリを充電するよう構成され、前記直流分配ユニットは、前記充電プラグへ電力供給を割り当てるよう構成され、前記充電制御モジュールは、前記充電に課金し表示するよう構成される、
充電パイル。
【請求項１４】
前記第１電力ユニット及び前記第２電力ユニットは、並列接続されるか、あるいは、前記第１電力ユニット及び前記第２電力ユニットは、直列接続される、
請求項１３に記載の充電パイル。
【請求項１５】
当該充電パイルは、第１スイッチ・トランジスタ、第２スイッチ・トランジスタ、及び第３スイッチ・トランジスタを更に有し、前記第１スイッチ・トランジスタ、前記第２スイッチ・トランジスタ、及び前記第３スイッチ・トランジスタは、前記第１電力ユニットと前記第２電力ユニットとの間の直列接続又は並列接続を実装するよう構成され、
前記第１スイッチ・トランジスタの第１端は、前記第１電力ユニットの第１端及び前記直流分配ユニットへ接続され、前記第１スイッチ・トランジスタの第２端は、前記第２電力ユニットの第１端へ接続され、前記第２スイッチ・トランジスタの第１端は、前記第１電力ユニットの第２端へ接続され、前記第２スイッチ・トランジスタの第２端は、前記第２電力ユニットの第１端及び前記第１スイッチ・トランジスタの第２端へ接続され、前記第３スイッチ・トランジスタの第１端は、前記第１電力ユニットの第２端及び前記第２スイッチ・トランジスタの第１端へ接続され、前記第３スイッチ・トランジスタの第２端は、前記第２電力ユニットの第２端及び前記直流分配ユニットへ接続される、
請求項１４に記載の充電パイル。
【請求項１６】
当該充電パイルは、３つの動作モード：
第１動作モード：前記第１電力ユニット及び前記第２電力ユニットが並列接続される充電モード、
第２動作モード：前記第１電力ユニット及び前記第２電力ユニットが直列接続される充電モード、並びに
第３動作モード：前記第１電力ユニット及び前記第２電力ユニットが最初に並列接続され、次に直列接続されるハイブリッド充電モード
を有する、
請求項１５に記載の充電パイル。
【請求項１７】
前記充電プラグが前記充電されるべきバッテリへ接続される場合に、前記充電制御モジュールは、前記充電されるべきバッテリのバッテリ管理システムＢＭＳ（battery  management  system）と通信し、前記充電されるべきバッテリの充電電圧及び前記充電されるべきバッテリによって必要とされる充電電流を特定し、
前記充電電圧の範囲がＵの値範囲内に入り、且つ、前記充電されるべきバッテリによって必要とされる前記充電電流が第１プリセット閾値よりも大きいか又は等しい場合に、前記充電制御モジュールは、前記電力制御ユニットと通信し、該電力制御ユニットは、前記第２スイッチ・トランジスタを開かれるよう制御し、前記第１スイッチ・トランジスタ及び前記第３スイッチ・トランジスタを閉じられるよう制御して、当該充電パイルが前記第１動作モードに入るようにする、
請求項１６に記載の充電パイル。
【請求項１８】
前記充電プラグが前記充電されるべきバッテリへ接続される場合に、前記充電制御モジュールは、前記充電されるべきバッテリのバッテリ管理システムＢＭＳと通信し、前記充電されるべきバッテリの充電電圧及び前記充電されるべきバッテリによって必要とされる充電電流を特定し、
前記充電電圧の範囲がＵの値範囲を越え、前記第１電力ユニット及び前記第２電力ユニットが直列接続された後に得られる出力電圧よりも小さく、且つ、前記充電されるべきバッテリによって必要とされる前記充電電流がＩよりも小さい場合に、前記充電制御モジュールは、前記電力制御ユニットと通信し、該電力制御ユニットは、前記第２スイッチ・トランジスタを閉じられるよう制御し、前記第１スイッチ・トランジスタ及び前記第３スイッチ・トランジスタを開かれるよう制御して、当該充電パイルが前記第２動作モードに入るようにする、
請求項１６に記載の充電パイル。
【請求項１９】
前記充電プラグが前記充電されるべきバッテリへ接続される場合に、前記充電制御モジュールは、前記充電されるべきバッテリのバッテリ管理システムＢＭＳと通信し、前記充電されるべきバッテリの充電電圧及び前記充電されるべきバッテリによって必要とされる充電電流を特定し、
前記充電電圧の範囲がＵの値範囲を越え、且つ、前記充電されるべきバッテリによって必要とされる前記充電電流がＩよりも大きい場合に、前記充電制御モジュールは、前記電力制御ユニットと通信し、該電力制御ユニットは、前記第２スイッチ・トランジスタを開かれるよう制御し、前記第１スイッチ・トランジスタ及び前記第３スイッチ・トランジスタを閉じられるよう制御し、それにより、前記第１電力ユニット及び前記第２電力ユニットは、並列に出力を実行し、前記電力制御ユニットは、前記第１電力ユニット及び前記第２電力ユニットの出力電圧を調整し、
前記充電されるべきバッテリの前記充電電圧がＵの最大値に達する場合に、前記電力制御ユニットは、前記第１スイッチ・トランジスタ及び前記第３スイッチ・トランジスタを開かれるよう制御し、前記第２スイッチ・トランジスタを閉じられるよう制御し、それにより、前記第１電力ユニット及び前記第２電力ユニットは、直列に出力を実行し、当該充電パイルは、前記第３動作モードに入る、
請求項１６に記載の充電パイル。
【請求項２０】
前記電力システムは、ＩＰ６５保護設計を使用することによって保護される、
請求項１３乃至１９のうちいずれか一項に記載の充電パイル。
【発明の詳細な説明】
【技術分野】
【０００１】
本発明は、エネルギ分野に、特に、充電パイルに関係がある。
【背景技術】
【０００２】
電動輸送機器の大規模な使用とともに、充電パイルが広く配置されている。充電パイルは、交流充電パイルと直流充電パイルとに分類される。直流充電パイルは、種々の形態の直流充電パイルに従って、パイル−プラグ一体型充電パイル及びパイル−プラグ分離型充電パイルに分類される。図１に示されるように、パイル−プラグ一体型充電パイルは、主として、ＩＰ５４屋外キャビネット、交流配電器、直流配電器、絶縁監視部、マスタ制御部（請求計測及び充電管理）、充電モジュール、補助電源、ファン、温度コントローラ、充電プラグ、などを含む。図２に示されるように、パイル−プラグ分離型充電パイルは、一般的に、２つの部分：電力キャビネット及び充電ターミナルを含む。電力キャビネットが屋外に配置される場合には、少なくとも保護レイヤＩＰ５４を備えた屋外キャビネットが必要とされ、電力キャビネットが屋内に配置される場合には、電力キャビネットは、専用の機械室に配置される必要がある。電力キャビネットは、主として、交流から直流への変換を実装するために、充電モジュールを配置される。充電ターミナルは、一般的に屋外に配置され、充電プラグ、請求計測及びヒューマン−マシン・インターフェイス、補助電源、絶縁監視部、直流配電器、などを含む。
【０００３】
図１及び図２の両方に示されている直流充電パイルは、従来の充電モジュールを使用し、それらの充電モジュールは、固定式サブラックに配置され、バックボード設計を使用することによってマスタ制御部又は充電モジュール管理部の制御下で出力を行う。全ての充電モジュールの出力電圧は、動作中に同じである。充電パイルの最大出力電圧は、単一の充電モジュールの最大出力電圧によって決定される。充電パイルの最大出力電流は、全ての充電モジュールの出力電流の和である。
【０００４】
電動輸送機器の充電電圧が増大するにつれて、より高い充電電圧が必要とされる。すなわち、充電モジュールは、より高い電圧及びより広い出力電圧範囲を有する必要がある。例えば、現在、ほとんどの充電モジュールの出力電圧は、２００Ｖから５００Ｖ又は３００Ｖから７５０Ｖに及ぶ。電動輸送機器によって必要とされる電圧が将来的に最大９００Ｖに至る場合には、充電モジュールの出力電圧は、既存のアーキテクチャにおいて２００Ｖから９００Ｖに及ぶ必要がある。充電モジュールのそのような広い電圧範囲は、実装されることが困難であり、費用も増大する。その上、充電モジュールは、大部分の時間最適でない状態で動作し、このことは、低い効率及び高いエネルギ消費をもたらす。更に、充電電流は、将来の充電パイルのための重要な指標であり、高速充電電流は、大きな充電電流と等価であり、更なる充電モジュールが並列接続される必要がある。しかし、既存の充電パイルのアーキテクチャでは、既存の充電パイルの設計が完了すると、充電パイルの充電モジュール数及びシステム放熱容量が決定され、最大出力電力は充電モジュールのスロット数によって制限される。結果として、容量は増大され得ず、将来の電力拡張のための要求は満足され得ない。
【０００５】
その上、既存の充電パイルが屋外に配置される場合に、放熱要件及び防水要件を考えて、キャビネットは少なくともＩＰ５４保護設計を使用する必要がある。充電パイルの熱消費量は大きく、現在、熱は、通常は、塵埃フィルタが使用される直接換気法で発散されている。結果として、熱が直接換気法で発散される場合に塵埃及び油汚れがキャビネット内に容易に吸い込まれて、充電モジュールの極めて高い年間故障率及び低い信頼性につながる。更には、直接換気法で設計された塵埃フィルタは、定期的に交換される必要があるので、保守費用は極めて高い。
【発明の概要】
【０００６】
本発明の実施形態は、充電電圧及び充電電流に対する電動輸送機器のますます高い要求を満たすために、充電パイルを提供する。
【０００７】
第１の態様に従って、本発明の実施形態は、電力システム及び充電ターミナルを含む充電パイルを提供する。
【０００８】
前記電力システムは、第１電力ユニット、第２電力ユニット、電力制御ユニット、ヒート・シンク、第１スイッチ・トランジスタ、第２スイッチ・トランジスタ、及び第３スイッチ・トランジスタを含む。前記第１電力ユニット及び前記第２電力ユニットは、同じ出力電圧値Ｕ及び同じ出力電流値Ｉを有する。前記電力制御ユニットは、前記第１電力ユニット及び前記第２電力ユニットの出力電圧及び出力電流を制御するよう構成される。前記第１スイッチ・トランジスタ、前記第２スイッチ・トランジスタ、及び前記第３スイッチ・トランジスタは、前記第１電力ユニットと前記第２電力ユニットとの間の直列接続又は並列接続を実装するよう構成される。前記ヒート・シンクは、前記電力システムの熱を逃がすよう構成される。
【０００９】
前記充電ターミナルは、充電制御モジュール、直流分配ユニット、及び充電プラグを含む。前記充電プラグは、充電されるべきバッテリへ接続し該充電されるべきバッテリを充電するよう構成され、前記直流分配ユニットは、前記充電プラグへ電力供給を割り当てるよう構成され、前記充電制御モジュールは、前記充電に課金し表示するよう構成される。
【００１０】
本発明のこの実施形態で提供される充電パイルは、第１電力ユニット、第２電力ユニット、電力制御ユニット、などを含み、２つの電力ユニットは、充電されるべきバッテリのためのフレキシブル充電電圧及びフレキシブル充電電流を供給するよう、３つのスイッチ・トランジスタを使用することによって直列に又は並列に接続される。このようにして、充電パイルの容量増大における既存の問題は解消され、充電電圧及び充電電流に対する電動輸送機器のますます高い要求は満たされる。
【００１１】
第１の態様を参照して、第１の態様の第１の可能な実施において、前記第１スイッチ・トランジスタの第１端は、前記第１電力ユニットの第１端及び前記直流分配ユニットへ接続され、前記第１スイッチ・トランジスタの第２端は、前記第２電力ユニットの第１端へ接続され、前記第２スイッチ・トランジスタの第１端は、前記第１電力ユニットの第２端へ接続され、前記第２スイッチ・トランジスタの第２端は、前記第２電力ユニットの第１端及び前記第１スイッチ・トランジスタの第２端へ接続され、前記第３スイッチ・トランジスタの第１端は、前記第１電力ユニットの第２端及び前記第２スイッチ・トランジスタの第１端へ接続され、前記第３スイッチ・トランジスタの第２端は、前記第２電力ユニットの第２端及び前記直流分配ユニットへ接続される。
【００１２】
２つの電力ユニット間の直列及び並列接続は、３つのスイッチ・トランジスタが前述の方法で接続される場合に柔軟に実施可能であり、それにより、充電パイルの充電電圧及び充電電流は、柔軟に増大され得る。
【００１３】
第１の態様の第１の可能な実施を参照して、第１の態様の第２の可能な実施において、当該充電パイルは、３つの動作モード：
第１動作モード：前記第１電力ユニット及び前記第２電力ユニットが並列接続される充電モード、
第２動作モード：前記第１電力ユニット及び前記第２電力ユニットが直列接続される充電モード、並びに
第３動作モード：前記第１電力ユニット及び前記第２電力ユニットが最初に並列接続され、次に直列接続されるハイブリッド充電モード
を含む。
【００１４】
３つの異なる動作モードでの充電パイルは、異なる要求に従って、充電されるべきバッテリのための異なるサービスを提供する。充電電圧及び充電電流に対する電動輸送機器の充電されるべきバッテリの要求が変わる場合に、充電パイルは、相応して、３つの異なる動作モードに基づき動作し得る。
【００１５】
第１の態様の第２の可能な実施を参照して、第１の態様の第３の可能な実施において、前記充電プラグが前記充電されるべきバッテリへ接続される場合に、前記充電制御モジュールは、前記充電されるべきバッテリのバッテリ管理システムＢＭＳ（battery  management  system）と通信し、前記充電されるべきバッテリの充電電圧及び前記充電されるべきバッテリによって必要とされる充電電流を特定し、前記充電電圧の範囲がＵの値範囲内に入り、且つ、前記充電されるべきバッテリによって必要とされる前記充電電流が第１プリセット閾値よりも大きいか又は等しい場合に、前記充電制御モジュールは、前記電力制御ユニットと通信し、該電力制御ユニットは、前記第２スイッチ・トランジスタを開かれるよう制御し、前記第１スイッチ・トランジスタ及び前記第３スイッチ・トランジスタを閉じられるよう制御して、当該充電パイルが前記第１動作モードに入るようにする。
【００１６】
第１の態様の第２の可能な実施を参照して、第１の態様の第４の可能な実施において、前記充電プラグが前記充電されるべきバッテリへ接続される場合に、前記充電制御モジュールは、前記充電されるべきバッテリのバッテリ管理システムＢＭＳと通信し、前記充電されるべきバッテリの充電電圧及び前記充電されるべきバッテリによって必要とされる充電電流を特定し、前記充電電圧の範囲がＵの値範囲を越え、前記第１電力ユニット及び前記第２電力ユニットが直列接続された後に得られる出力電圧よりも小さく、且つ、前記充電されるべきバッテリによって必要とされる前記充電電流がＩよりも小さい場合に、前記充電制御モジュールは、前記電力制御ユニットと通信し、該電力制御ユニットは、前記第２スイッチ・トランジスタを閉じられるよう制御し、前記第１スイッチ・トランジスタ及び前記第３スイッチ・トランジスタを開かれるよう制御して、当該充電パイルが前記第２動作モードに入るようにする。
【００１７】
第１の態様の第２の可能な実施を参照して、第１の態様の第５の可能な実施において、前記充電プラグが前記充電されるべきバッテリへ接続される場合に、前記充電制御モジュールは、前記充電されるべきバッテリのバッテリ管理システムＢＭＳと通信し、前記充電されるべきバッテリの充電電圧及び前記充電されるべきバッテリによって必要とされる充電電流を特定し、前記充電電圧の範囲がＵの値範囲を越え、且つ、前記充電されるべきバッテリによって必要とされる前記充電電流がＩよりも大きい場合に、前記充電制御モジュールは、前記電力制御ユニットと通信し、該電力制御ユニットは、前記第２スイッチ・トランジスタを開かれるよう制御し、前記第１スイッチ・トランジスタ及び前記第３スイッチ・トランジスタを閉じられるよう制御し、それにより、前記第１電力ユニット及び前記第２電力ユニットは、並列に出力を実行し、前記電力制御ユニットは、前記第１電力ユニット及び前記第２電力ユニットの出力電圧を調整し、前記充電されるべきバッテリの前記充電電圧がＵの最大値に達する場合に、前記電力制御ユニットは、前記第１スイッチ・トランジスタ及び前記第３スイッチ・トランジスタを開かれるよう制御し、前記第２スイッチ・トランジスタを閉じられるよう制御し、それにより、前記第１電力ユニット及び前記第２電力ユニットは、直列に出力を実行し、当該充電パイルは、前記第３動作モードに入る。
【００１８】
第１の態様の上記の可能な実施のうちのいずれか１つを参照して、第１の態様の第６の可能な実施において、前記第１電力ユニットのパワー・ヒーター及び前記第２電力ユニットのパワー・ヒーターは両方とも、前記ヒート・シンクに取り付けられる。
【００１９】
本発明のこの実施形態で提供される充電パイルにおいて、熱は、システム全体内にファンを配置する必要性なしで、ヒート・シンクを使用することによって放散され得る。放熱のための既存の直接換気と比べて、この方法で実行される放熱は、塵埃フィルタを必要としない。従って、費用は、システム全体の自然の放熱の実装に基づき更に削減され得る。
【００２０】
第１の態様の上記の可能な実施のうちのいずれか１つを参照して、第１の態様の第７の可能な実施において、前記電力システムは、ＩＰ６５保護設計を使用することによって保護される。
【００２１】
ＩＰ５４保護設計を使用する従来の充電パイルと比較して、本発明のこの実施形態で提供される充電パイルは、信頼性を改善し且つ保守費用を減らすために、ＩＰ６５保護設計を使用する。
【００２２】
第１の態様の上記の可能な実施のうちのいずれか１つを参照して、第１の態様の第８の可能な実施において、当該充電パイルは、少なくとも２つの電力システムを含む。
【００２３】
このようにして、充電パイルの容量は、充電パイルが充電電圧及び充電電流に対するますます高い要求を満足することができるように増大され得る。
【００２４】
第２の態様に従って、本発明の実施形態は、電力システム及び充電ターミナルを含む充電パイルを提供する。
【００２５】
前記電力システムは、第１電力ユニット、第２電力ユニット、電力制御ユニット、及びヒート・シンクを含む。前記第１電力ユニットは、前記第２電力ユニットへ接続され、前記第１電力ユニット及び前記第２電力ユニットは、同じ出力電圧値Ｕ及び同じ出力電流値Ｉを有する。前記電力制御ユニットは、前記第１電力ユニット及び前記第２電力ユニットの出力電圧及び出力電流を制御するよう構成される。
【００２６】
前記充電ターミナルは、充電制御モジュール、直流分配ユニット、及び充電プラグを含む。前記充電プラグは、充電されるべきバッテリへ接続し該充電されるべきバッテリを充電するよう構成され、前記直流分配ユニットは、前記充電プラグへ電力供給を割り当てるよう構成され、前記充電制御モジュールは、前記充電に課金し表示するよう構成される。
【００２７】
本発明のこの実施形態で提供される充電パイルは、第１電力ユニット、第２電力ユニット、電力制御ユニット、などを含み、２つの電力ユニットは、充電されるべきバッテリのためのフレキシブル充電電圧及びフレキシブル充電電流を供給するよう接続される。このようにして、充電パイルの容量増大における既存の問題は解消され、充電電圧及び充電電流に対する電動輸送機器のますます高い要求は満たされる。
【００２８】
第２の態様を参照して、第２の態様の第１の可能な実施において、前記第１電力ユニット及び前記第２電力ユニットは、並列接続されるか、あるいは、前記第１電力ユニット及び前記第２電力ユニットは、直列接続される。
【００２９】
本発明のこの実施形態で提供される充電パイルは、第１電力ユニット、第２電力ユニット、電力制御ユニット、などを含み、２つの電力ユニットは、充電されるべきバッテリのためのフレキシブル充電電圧及びフレキシブル充電電流を供給するよう直列に又は並列に接続される。このようにして、充電パイルの容量増大における既存の問題は解消され、充電電圧及び充電電流に対する電動輸送機器のますます高い要求は満たされる。
【００３０】
第２の態様の第１の可能な実施を参照して、第２の態様の第２の可能な実施において、当該充電パイルは、第１スイッチ・トランジスタ、第２スイッチ・トランジスタ、及び第３スイッチ・トランジスタを更に含む。前記第１スイッチ・トランジスタ、前記第２スイッチ・トランジスタ、及び前記第３スイッチ・トランジスタは、前記第１電力ユニットと前記第２電力ユニットとの間の直列接続又は並列接続を実装するよう構成される。前記第１スイッチ・トランジスタの第１端は、前記第１電力ユニットの第１端及び前記直流分配ユニットへ接続され、前記第１スイッチ・トランジスタの第２端は、前記第２電力ユニットの第１端へ接続され、前記第２スイッチ・トランジスタの第１端は、前記第１電力ユニットの第２端へ接続され、前記第２スイッチ・トランジスタの第２端は、前記第２電力ユニットの第１端及び前記第１スイッチ・トランジスタの第２端へ接続され、前記第３スイッチ・トランジスタの第１端は、前記第１電力ユニットの第２端及び前記第２スイッチ・トランジスタの第１端へ接続され、前記第３スイッチ・トランジスタの第２端は、前記第２電力ユニットの第２端及び前記直流分配ユニットへ接続される。
【００３１】
２つの電力ユニットの間の直列及び並列接続は、３つのスイッチ・トランジスタが前述の方法で接続される場合に柔軟に実施可能であり、それにより、充電パイルの充電電圧及び充電電流は、柔軟に増大され得る。
【００３２】
３つのスイッチ・トランジスタは電力システムの内部に配置されてよく、あるいは、スイッチ・ボックスと同様のスイッチ・モジュールとして電力システムの外部に配置されてもよい点が留意されるべきである。これは、本発明のこの実施形態において制限されない。
【００３３】
第２の態様の第２の可能な実施を参照して、第２の態様の第３の可能な実施において、当該充電パイルは、３つの動作モード：
第１動作モード：前記第１電力ユニット及び前記第２電力ユニットが並列接続される充電モード、
第２動作モード：前記第１電力ユニット及び前記第２電力ユニットが直列接続される充電モード、並びに
第３動作モード：前記第１電力ユニット及び前記第２電力ユニットが最初に並列接続され、次に直列接続されるハイブリッド充電モード
を含む。
【００３４】
３つの異なる動作モードでの充電パイルは、異なる要求に従って、充電されるべきバッテリのための異なるサービスを提供する。充電電圧及び充電電流に対する電動輸送機器の充電されるべきバッテリの要求が変わる場合に、充電パイルは、相応して、３つの異なる動作モードに基づき動作し得る。
【００３５】
第２の態様の第３の可能な実施を参照して、第２の態様の第４の可能な実施において、前記充電プラグが前記充電されるべきバッテリへ接続される場合に、前記充電制御モジュールは、前記充電されるべきバッテリのバッテリ管理システムＢＭＳ（battery  management  system）と通信し、前記充電されるべきバッテリの充電電圧及び前記充電されるべきバッテリによって必要とされる充電電流を特定し、前記充電電圧の範囲がＵの値範囲内に入り、且つ、前記充電されるべきバッテリによって必要とされる前記充電電流が第１プリセット閾値よりも大きいか又は等しい場合に、前記充電制御モジュールは、前記電力制御ユニットと通信し、該電力制御ユニットは、前記第２スイッチ・トランジスタを開かれるよう制御し、前記第１スイッチ・トランジスタ及び前記第３スイッチ・トランジスタを閉じられるよう制御して、当該充電パイルが前記第１動作モードに入るようにする。
【００３６】
第２の態様の第３の可能な実施を参照して、第２の態様の第５の可能な実施において、前記充電プラグが前記充電されるべきバッテリへ接続される場合に、前記充電制御モジュールは、前記充電されるべきバッテリのバッテリ管理システムＢＭＳと通信し、前記充電されるべきバッテリの充電電圧及び前記充電されるべきバッテリによって必要とされる充電電流を特定し、前記充電電圧の範囲がＵの値範囲を越え、前記第１電力ユニット及び前記第２電力ユニットが直列接続された後に得られる出力電圧よりも小さく、且つ、前記充電されるべきバッテリによって必要とされる前記充電電流がＩよりも小さい場合に、前記充電制御モジュールは、前記電力制御ユニットと通信し、該電力制御ユニットは、前記第２スイッチ・トランジスタを閉じられるよう制御し、前記第１スイッチ・トランジスタ及び前記第３スイッチ・トランジスタを開かれるよう制御して、当該充電パイルが前記第２動作モードに入るようにする。
【００３７】
第２の態様の第３の可能な実施を参照して、第２の態様の第６の可能な実施において、前記充電プラグが前記充電されるべきバッテリへ接続される場合に、前記充電制御モジュールは、前記充電されるべきバッテリのバッテリ管理システムＢＭＳと通信し、前記充電されるべきバッテリの充電電圧及び前記充電されるべきバッテリによって必要とされる充電電流を特定し、前記充電電圧の範囲がＵの値範囲を越え、且つ、前記充電されるべきバッテリによって必要とされる前記充電電流がＩよりも大きい場合に、前記充電制御モジュールは、前記電力制御ユニットと通信し、該電力制御ユニットは、前記第２スイッチ・トランジスタを開かれるよう制御し、前記第１スイッチ・トランジスタ及び前記第３スイッチ・トランジスタを閉じられるよう制御し、それにより、前記第１電力ユニット及び前記第２電力ユニットは、並列に出力を実行し、前記電力制御ユニットは、前記第１電力ユニット及び前記第２電力ユニットの出力電圧を調整し、前記充電されるべきバッテリの前記充電電圧がＵの最大値に達する場合に、前記電力制御ユニットは、前記第１スイッチ・トランジスタ及び前記第３スイッチ・トランジスタを開かれるよう制御し、前記第２スイッチ・トランジスタを閉じられるよう制御し、それにより、前記第１電力ユニット及び前記第２電力ユニットは、直列に出力を実行し、当該充電パイルは、前記第３動作モードに入る。
【００３８】
第２の態様の上記の可能な実施のうちのいずれか１つを参照して、第２の態様の第７の可能な実施において、前記電力システムは、ＩＰ６５保護設計を使用することによって保護される。
【００３９】
ＩＰ５４保護設計を使用する従来の充電パイルと比較して、本発明のこの実施形態で提供される充電パイルは、信頼性を改善し且つ保守費用を減らすために、ＩＰ６５保護設計を使用する。
【００４０】
第２の態様の上記の可能な実施のうちのいずれか１つを参照して、第２の態様の第８の可能な実施において、当該充電パイルは、少なくとも２つの電力システムを含む。
【００４１】
このようにして、充電パイルの容量は、充電パイルが充電電圧及び充電電流に対するますます高い要求を満足することができるように増大され得る。
【図面の簡単な説明】
【００４２】
本発明の実施形態における又は先行技術における技術的解決法をより明りょうに記載するよう、以下は、実施形態又は先行技術を記載するために必要とされる添付の図面について簡単に説明する。明らかに、以下の説明の中の添付の図面は、本発明のほんのいくつかの実施形態を示すにすぎず、当業者は、創造的な努力なしでそれらの添付の図面から他の図面を依然として導出し得る。
【００４３】
【図１】先行技術におけるパイル−プラグ一体型充電パイルを示す。
【図２】先行技術におけるパイル−プラグ分離型充電パイルを示す。
【図３】本発明の実施形態に従う充電パイルの構造図を示す。
【図４】本発明の実施形態に従う他の充電パイルの構造図を示す。
【図５】本発明の実施形態に従う更なる他の充電パイルの構造図を示す。
【図６】本発明の実施形態に従う更なる他の充電パイルの構造図を示す。
【発明を実施するための形態】
【００４４】
当業者に本発明における技術的解決法をより良く理解させるよう、以下は、本発明の実施形態における添付の図面を参照して、本発明の実施形態における技術的解決法について明りょうに且つ完全に記載する。明らかに、記載される実施形態は、本発明の実施形態の全てではなく一部にすぎない。創造的な努力なしで本発明の実施形態に基づき当業者によって獲得される他の全ての実施形態は、本発明の保護範囲の中に入るべきである。
【００４５】
「第１」及び「第２」のような語が様々な構成要素を記載するために本明細書中で使用されることがあるが、それらの語は単に、構成要素又は他の関連する物を区別するために使用されることが更に理解されるべきである。例えば、本発明の適用範囲から外れることなしに、第１電力ユニットは、第２電力ユニットとも呼ばれてもよく、同様に、第２電力ユニットは、第１電力ユニットと呼ばれてもよい。
【００４６】
本発明の説明において使用される語は単に、具体的な実施形態を説明するためであって、本発明を制限する意図はない。本発明の明細書及び添付の特許請求の範囲で使用される単数形の語「１つの」、「前記」及び「該」はまた、文脈中で明らかに別なふうに特定されない限り、複数形を含むよう意図される。また、明細書中で使用される語「及び／又は」は、１つ以上の関連する特徴のいずれかの又は全ての可能な組み合わせを示し且つ含むことも理解されるべきである。
【００４７】
図３は、本発明の実施形態１に従う充電パイル３００を示す。充電パイル３００は、電力システム及び充電ターミナルを含む。
【００４８】
電力システムは、第１電力ユニット、第２電力ユニット、電力制御ユニット、ヒート・シンク、第１スイッチ・トランジスタＱ１、第２スイッチ・トランジスタＱ２、及び第３スイッチ・トランジスタＱ３を含む。第１電力ユニット及び第２電力ユニットは、同じ出力電圧値Ｕ及び同じ出力電流値Ｉを有する。電力制御ユニットは、第１電力ユニット及び第２電力ユニットの出力電圧及び出力電流を制御するよう構成される。第１スイッチ・トランジスタＱ１、第２スイッチ・トランジスタＱ２、及び第３スイッチ・トランジスタＱ３は、第１電力ユニットと第２電力ユニットとの間の直列接続又は並列接続を実装するよう構成される。ヒート・シンクは、電力システムの熱を逃がすよう構成される。
【００４９】
充電ターミナルは、充電制御モジュール、直流分配ユニット、及び充電プラグを含む。充電プラグは、充電されるべきバッテリへ接続し、充電されるべきバッテリを充電するよう構成され、直流分配ユニットは、充電プラグへ電力供給を割り当てるよう構成され、充電制御モジュールは、充電に課金し表示するよう構成される。
【００５０】
本発明の実施形態１で提供される充電パイル３００は、第１電力ユニット、第２電力ユニット、電力制御ユニット、などを含み、２つの電力ユニットは、充電されるべきバッテリのためのフレキシブル充電電圧及びフレキシブル充電電流を供給するよう、３つのスイッチ・トランジスタを使用することによって直列に又は並列に接続される。このようにして、充電パイルの容量増大における既存の問題は解消され、充電電圧及び充電電流に対する電動輸送機器のますます高い要求は満たされる。
【００５１】
図示されている電力線は、電流信号を伝送するために使用され、図示されている制御線は、制御シグナリングを伝送するために使用される。これは、続く図中のそれと同じであり、再びは詳細に記載されない。
【００５２】
実施形態１に基づき、更に、第１スイッチ・トランジスタＱ１の第１端は、第１電力ユニットの第１端及び直流分配ユニットへ接続され、第１スイッチ・トランジスタＱ１の第２端は、第２電力ユニットの第１端へ接続され、第２スイッチ・トランジスタＱ２の第１端は、第１電力ユニットの第２端へ接続され、第２スイッチ・トランジスタＱ２の第２端は、第２電力ユニットの第１端及び第１スイッチ・トランジスタＱ１の第２端へ接続され、第３スイッチ・トランジスタＱ３の第１端は、第１電力ユニットの第２端及び第２スイッチ・トランジスタＱ２の第１端へ接続され、第３スイッチ・トランジスタＱ３の第２端は、第２電力ユニットの第２端及び直流分配ユニットへ接続される。
【００５３】
２つの電力ユニットの間の直列及び並列接続は、３つのスイッチ・トランジスタが前述の方法で接続される場合に柔軟に実施可能であり、それにより、充電パイルの充電電圧及び充電電流は、柔軟に増大され得る。
【００５４】
より具体的には、実施形態１で提供される充電パイル３００は、３つの動作モード：
第１動作モード：第１電力ユニット及び第２電力ユニットが並列接続される充電モード、
第２動作モード：第１電力ユニット及び第２電力ユニットが直列接続される充電モード、並びに
第３動作モード：第１電力ユニット及び第２電力ユニットが最初に並列接続され、次に直列接続されるハイブリッド充電モード
を含む。
【００５５】
３つの異なる動作モードでの充電パイルは、異なる要求に従って、充電されるべきバッテリのための異なるサービスを提供する。充電電圧及び充電電流に対する電動輸送機器の充電されるべきバッテリの要求が変わる場合に、充電パイルは、相応して、３つの異なる動作モードに基づき動作し得る。
【００５６】
以下は、３つの異なる動作モードのトリガ条件及び具体的な制御ロジックについて別々に記載する。
【００５７】
１．充電プラグが充電されるべきバッテリへ接続される場合に、充電制御モジュールは、充電されるべきバッテリのバッテリ管理システムＢＭＳ（battery  management  system）と通信し、充電されるべきバッテリの充電電圧及び充電されるべきバッテリによって必要とされる充電電流を特定し、充電電圧の範囲がＵの値範囲内に入り、且つ、充電されるべきバッテリによって必要とされる充電電流が第１プリセット閾値よりも大きいか又は等しい場合に、充電制御モジュールは、電力制御ユニットと通信し、電力制御ユニットは、第２スイッチ・トランジスタＱ２を開かれるよう制御し、第１スイッチ・トランジスタＱ１及び第３スイッチ・トランジスタＱ３を閉じられるよう制御して、充電パイルが第１動作モードに入るようにする。
【００５８】
加えて、電力制御ユニットは、第１電力ユニット及び第２電力ユニットの出力電圧及び出力電流を調整して、充電されるべきバッテリが（第１プリセット閾値よりも大きいか又は等しい）大電流により充電され、充電されるべきバッテリが直ちに十分に充電され得るようにする。充電プロセスにおいて、第１電力ユニット及び第２電力ユニットの電流は、負荷バランスを保つよう等しい必要がある。充電が終了した後、第１スイッチ・トランジスタＱ１、第２スイッチ・トランジスタＱ２、及び第３スイッチ・トランジスタＱ３の全てが開かれる。
【００５９】
２．代替的に、充電プラグが充電されるべきバッテリへ接続される場合に、充電制御モジュールは、充電されるべきバッテリのバッテリ管理システムＢＭＳと通信し、充電されるべきバッテリの充電電圧及び充電されるべきバッテリによって必要とされる充電電流を特定し、充電電圧の範囲がＵの値範囲を越え、第１電力ユニット及び第２電力ユニットが直列接続された後に得られる出力電圧よりも小さく、且つ、充電されるべきバッテリによって必要とされる充電電流がＩよりも小さい場合に、充電制御モジュールは、電力制御ユニットと通信し、電力制御ユニットは、第２スイッチ・トランジスタＱ２を閉じられるよう制御し、第１スイッチ・トランジスタＱ１及び第３スイッチ・トランジスタＱ３を開かれるよう制御して、充電パイルが第２動作モードに入るようにする。
【００６０】
加えて、電力制御ユニットは、充電されるべきバッテリの充電要件を満たすために、第１電力ユニット及び第２電力ユニットの出力電圧及び出力電流を調整する。充電プロセスにおいて、第１電力ユニット及び第２電力ユニットの出力電圧は、負荷バランスを保つよう同じである。充電が終了した後、第１スイッチ・トランジスタＱ１、第２スイッチ・トランジスタＱ２、及び第３スイッチ・トランジスタＱ３の全てが開かれる。
【００６１】
３．代替的に、充電プラグが充電されるべきバッテリへ接続される場合に、充電制御モジュールは、充電されるべきバッテリのバッテリ管理システムＢＭＳと通信し、充電されるべきバッテリの充電電圧及び充電されるべきバッテリによって必要とされる充電電流を特定し、充電電圧の範囲がＵの値範囲を越え、且つ、充電されるべきバッテリによって必要とされる充電電流がＩよりも大きい場合に、充電制御モジュールは、電力制御ユニットと通信し、電力制御ユニットは、第２スイッチ・トランジスタＱ２を開かれるよう制御し、第１スイッチ・トランジスタＱ１及び第３スイッチ・トランジスタＱ３を閉じられるよう制御し、それにより、第１電力ユニット及び第２電力ユニットは、並列に出力を実行し、電力制御ユニットは、第１電力ユニット及び第２電力ユニットの出力電圧及び出力電流を調整し、充電されるべきバッテリの充電電圧がＵの最大値に達する場合に、電力制御ユニットは、第１スイッチ・トランジスタＱ１及び第３スイッチ・トランジスタＱ３を開かれるよう制御し、第２スイッチ・トランジスタＱ２を閉じられるよう制御し、それにより、第１電力ユニット及び第２電力ユニットは、直列に出力を実行し、充電パイルは、第３動作モードに入る。出力電流は、出力電流が充電されるべきバッテリによって必要とされる充電電流を満たすことができ、更には、出力電流が充電されるべきバッテリの容量を超えないことを確かにされ得るように、調整される。
【００６２】
加えて、電力制御ユニットは、充電されるべきバッテリの充電要件を満たすために、第１電力ユニット及び第２電力ユニットの出力電圧及び出力電流を調整する。充電プロセスにおいて、第１電力ユニット及び第２電力ユニットの出力電圧は、負荷バランスを保つよう同じである。充電が終了した後、第１スイッチ・トランジスタＱ１、第２スイッチ・トランジスタＱ２、及び第３スイッチ・トランジスタＱ３の全てが開かれる。
【００６３】
従来の解決法と比較して、前述の３つの動作モードでは、異なる電力ユニットの出力電圧及び出力電流は、電力ユニットを十分に利用し且つ充電パイルが最低の費用で最適な状態で動作することを可能にするために、柔軟に組み合わされ得る。以上に基づき、異なる電動輸送機器の充電されるべきバッテリが充電電圧及び充電電流に対する異なる要件を有している場合に、充電制御モジュールは、充電されるべきバッテリの要件を特定し、充電されるべきバッテリの具体的な要件に従って３つのスイッチ・トランジスタを制御する。このようにして、充電パイルの２つの電力ユニットは、充電されるべきバッテリを充電するために、充電パイルが３つの動作モードのうちの対応する動作モードに入るように、異なる様態で接続される。
【００６４】
実施形態１で提供される充電パイル３００の充電ターミナルは、電力システムの上又は片側に配置され、電力システムとともに一体型の充電パイルを形成してよく、あるいは、地面の上に独立して配置され、電力システムとともに分離型の充電パイルを形成してもよい点が留意されるべきである。これは、この解決法において制限されない。
【００６５】
加えて、実施形態１で提供される充電パイル３００において、第１スイッチ・トランジスタＱ１、第２スイッチ・トランジスタＱ２、及び第３スイッチ・トランジスタＱ３が、第１電力ユニットと第２電力ユニットとの間の直列及び並列接続を実装するよう協働することができるという条件で、第１スイッチ・トランジスタＱ１、第２スイッチ・トランジスタＱ２、及び第３スイッチ・トランジスタＱ３は、ＭＯＳＦＥＴ、ＩＧＢＴ、コンタクタ、又はリレーのうちのいずれか１つであってよい。第１スイッチ・トランジスタＱ１、第２スイッチ・トランジスタＱ２、及び第３スイッチ・トランジスタＱ３の具体的な形は、この解決法において制限されない。
【００６６】
更に、実施形態１で提供される充電パイル３００において、第１電力ユニットのパワー・ヒーター及び第２電力ユニットのパワー・ヒーターは両方とも、ヒート・シンクに取り付けられる。このように、熱は、システム全体内にファンを配置する必要性なしで、ヒート・シンクを使用することによって放散され得る。放熱のための既存の直接換気と比べて、この方法で実行される放熱は、塵埃フィルタを必要としない。従って、費用は、システム全体の自然の放熱の実装に基づき更に削減され得る。
【００６７】
確かに、たとえ放熱のためにシステム内にファンが配置されないとしても、この解決法の実施形態１で提供される充電パイル３００は、防水ファンを更に含んでもよい。防水ファンは、充電パイルの放熱能力を更に高めるために、電力システムの外に配置され、ヒート・シンク又はヒート・シンクのフィンの熱を逃がすよう構成されてよい。
【００６８】
前述の実施形態に基づき、更に、電力システムの放熱能力を高めるために、電力システムは、支持体としてヒート・シンクを使用することによって地面の上に配置されてもよく、あるいは、電力システムは、ヒート・シンクを使用することによって壁又は柱に掛けられてもよい。
【００６９】
従来の充電パイルと比較して、本発明のこの実施形態で提供される充電パイル３００では、電力システムは、ＩＰ６５保護設計を使用することによって保護されてよい点が更に留意されるべきである。保護レベルＩＰ６５は保護レベルＩＰ５４よりも高いので、塵埃フィルタは、本発明のこの実施形態で提供される充電パイル３００では配置されなくてよい。従って、塵埃フィルタが定期的に交換される必要はなく、電力ユニットの故障率は有意に低下し、それによって、充電パイルの保守費用を大いに削減する。
【００７０】
保護レベルＩＰ５４は次のように説明される：Ｉ及びＰは記号文字であり、数字５は第１記号文字であり、数字４は第２記号文字であり、第１記号文字は、接点異物に対する保護のレベルを表し、第２記号文字は、防水保護レベルを表す。保護レベルＩＰ６５は、通常、産業用途のために使用され、最高保護レベルはＩＰ６８である。ＩＰ５４は、低い保護レベルである。
【００７１】
本発明のこの実施形態で提供される充電パイル３００に基づき、本発明の実施形態は、充電パイル４００を更に提供する。図４に示されるように、充電パイル４００は、少なくとも２つの電力システムを含む。図中の（１からＮ）は、充電パイル４００がＮ個の電力システムを含んでよいことを示し、Ｎは２以上である。夫々の電力システムにおいて、夫々の電力ユニットは、大容量増大を実装するために、実施形態１で記載された様態で直流分配ユニットへ接続される。
【００７２】
図５は、本発明の実施形態１に従う充電パイル５００を示す。充電パイル５００は、電力システム及び充電ターミナルを含む。
【００７３】
電力システムは、第１電力ユニット、第２電力ユニット、電力制御ユニット、及びヒート・シンクを含む。第１電力ユニットは第２電力ユニットへ接続され、第１電力ユニット及び第２電力ユニットは、同じ出力電圧値Ｕ及び同じ出力電流値Ｉを有する。電力制御ユニットは、第１電力ユニット及び第２電力ユニットの出力電圧及び出力電流を制御するよう構成される。ヒート・シンクは、電力システムの熱を逃がすよう構成される。
【００７４】
充電ターミナルは、充電制御モジュール、直流分配ユニット、及び充電プラグを含む。充電プラグは、充電されるべきバッテリへ接続し、充電されるべきバッテリを充電するよう構成され、直流分配ユニットは、充電プラグへ電力供給を割り当てるよう構成され、充電制御モジュールは、充電に課金し表示するよう構成される。
【００７５】
本発明のこの実施形態で提供される充電パイルは、第１電力ユニット、第２電力ユニット、電力制御ユニット、などを含み、２つの電力ユニットは、充電されるべきバッテリのためのフレキシブル充電電圧及びフレキシブル充電電流を供給するよう接続される。このようにして、充電パイルの容量増大における既存の問題は解消され、充電電圧及び充電電流に対する電動輸送機器のますます高い要求は満たされる。
【００７６】
第１電力ユニット及び第２電力ユニットは並列に又は直列に接続され得ることが留意されるべきである。図５の例は、並列接続を示す。
【００７７】
本発明のこの実施形態で提供される充電パイルは、第１電力ユニット、第２電力ユニット、電力制御ユニット、などを含み、２つの電力ユニットは、充電されるべきバッテリのためのフレキシブル充電電圧及びフレキシブル充電電流を供給するよう直列に又は並列に接続される。このようにして、充電パイルの容量増大における既存の問題は解消され、充電電圧及び充電電流に対する電動輸送機器のますます高い要求は満たされる。
【００７８】
本発明のこの実施形態で提供される充電パイル５００に基づき、図６に示されるように、充電パイル６００は任意の実施であってよい。充電パイル５００に含まれている全ての構成要素に加えて、充電パイル６００は、第１スイッチ・トランジスタＱ１、第２スイッチ・トランジスタＱ２、及び第３スイッチ・トランジスタＱ３を更に含んでよい。
【００７９】
この任意の実施において、３つのトランジスタは、第１電力ユニットと第２電力ユニットとの間の直列接続又は並列接続を実装するよう構成される。
【００８０】
第１スイッチ・トランジスタＱ１の第１端は、第１電力ユニットの第１端及び直流分配ユニットへ接続され、第１スイッチ・トランジスタＱ１の第２端は、第２電力ユニットの第１端へ接続され、第２スイッチ・トランジスタＱ２の第１端は、第１電力ユニットの第２端へ接続され、第２スイッチ・トランジスタＱ２の第２端は、第２電力ユニットの第１端及び第１スイッチ・トランジスタＱ１の第２端へ接続され、第３スイッチ・トランジスタＱ３の第１端は、第１電力ユニットの第２端及び第２スイッチ・トランジスタＱ２の第１端へ接続され、第３スイッチ・トランジスタＱ３の第２端は、第２電力ユニットの第２端及び直流分配ユニットへ接続される。
【００８１】
２つの電力ユニットの間の直列及び並列接続は、３つのスイッチ・トランジスタが前述の方法で接続される場合に柔軟に実施可能であり、それにより、充電パイルの充電電圧及び充電電流は、柔軟に増大され得る。
【００８２】
３つのスイッチ・トランジスタは電力システムの内部に配置されてよく、あるいは、スイッチ・ボックスと同様のスイッチ・モジュールとして電力システムの外部に配置されてもよい点が留意されるべきである。これは、本発明のこの実施形態において制限されない。
【００８３】
他の任意の実施において、充電パイル５００は、次の３つの動作モード：
第１動作モード：第１電力ユニット及び第２電力ユニットが並列接続される充電モード、
第２動作モード：第１電力ユニット及び第２電力ユニットが直列接続される充電モード、並びに
第３動作モード：第１電力ユニット及び第２電力ユニットが最初に並列接続され、次に直列接続されるハイブリッド充電モード
を含んでよい。
【００８４】
３つの異なる動作モードでの充電パイルは、異なる要求に従って、充電されるべきバッテリのための異なるサービスを提供する。充電電圧及び充電電流に対する電動輸送機器の充電されるべきバッテリの要求が変わる場合に、充電パイルは、相応して、３つの異なる動作モードに基づき動作し得る。
【００８５】
以下は、３つの異なる動作モードのトリガ条件及び具体的な制御ロジックについて別々に記載する。
【００８６】
１．充電プラグが充電されるべきバッテリへ接続される場合に、充電制御モジュールは、充電されるべきバッテリのバッテリ管理システムＢＭＳ（battery  management  system）と通信し、充電されるべきバッテリの充電電圧及び充電されるべきバッテリによって必要とされる充電電流を特定し、充電電圧の範囲がＵの値範囲内に入り、且つ、充電されるべきバッテリによって必要とされる充電電流が第１プリセット閾値よりも大きいか又は等しい場合に、充電制御モジュールは、電力制御ユニットと通信し、電力制御ユニットは、第２スイッチ・トランジスタＱ２を開かれるよう制御し、第１スイッチ・トランジスタＱ１及び第３スイッチ・トランジスタＱ３を閉じられるよう制御して、充電パイルが第１動作モードに入るようにする。
【００８７】
加えて、電力制御ユニットは、第１電力ユニット及び第２電力ユニットの出力電圧及び出力電流を調整して、充電されるべきバッテリが（第１プリセット閾値よりも大きいか又は等しい）大電流により充電され、充電されるべきバッテリが直ちに十分に充電され得るようにする。充電プロセスにおいて、第１電力ユニット及び第２電力ユニットの電流は、負荷バランスを保つよう等しい必要がある。充電が終了した後、第１スイッチ・トランジスタＱ１、第２スイッチ・トランジスタＱ２、及び第３スイッチ・トランジスタＱ３の全てが開かれる。
【００８８】
２．代替的に、充電プラグが充電されるべきバッテリへ接続される場合に、充電制御モジュールは、充電されるべきバッテリのバッテリ管理システムＢＭＳと通信し、充電されるべきバッテリの充電電圧及び充電されるべきバッテリによって必要とされる充電電流を特定し、充電電圧の範囲がＵの値範囲を越え、第１電力ユニット及び第２電力ユニットが直列接続された後に得られる出力電圧よりも小さく、且つ、充電されるべきバッテリによって必要とされる充電電流がＩよりも小さい場合に、充電制御モジュールは、電力制御ユニットと通信し、電力制御ユニットは、第２スイッチ・トランジスタＱ２を閉じられるよう制御し、第１スイッチ・トランジスタＱ１及び第３スイッチ・トランジスタＱ３を開かれるよう制御して、充電パイルが第２動作モードに入るようにする。
【００８９】
加えて、電力制御ユニットは、充電されるべきバッテリの充電要件を満たすために、第１電力ユニット及び第２電力ユニットの出力電圧及び出力電流を調整する。充電プロセスにおいて、第１電力ユニット及び第２電力ユニットの出力電圧は、負荷バランスを保つよう同じである。充電が終了した後、第１スイッチ・トランジスタＱ１、第２スイッチ・トランジスタＱ２、及び第３スイッチ・トランジスタＱ３の全てが開かれる。
【００９０】
３．代替的に、充電プラグが充電されるべきバッテリへ接続される場合に、充電制御モジュールは、充電されるべきバッテリのバッテリ管理システムＢＭＳと通信し、充電されるべきバッテリの充電電圧及び充電されるべきバッテリによって必要とされる充電電流を特定し、充電電圧の範囲がＵの値範囲を越え、且つ、充電されるべきバッテリによって必要とされる充電電流がＩよりも大きい場合に、充電制御モジュールは、電力制御ユニットと通信し、電力制御ユニットは、第２スイッチ・トランジスタＱ２を開かれるよう制御し、第１スイッチ・トランジスタＱ１及び第３スイッチ・トランジスタＱ３を閉じられるよう制御し、それにより、第１電力ユニット及び第２電力ユニットは、並列に出力を実行し、電力制御ユニットは、第１電力ユニット及び第２電力ユニットの出力電圧及び出力電流を調整し、充電されるべきバッテリの充電電圧がＵの最大値に達する場合に、電力制御ユニットは、第１スイッチ・トランジスタＱ１及び第３スイッチ・トランジスタＱ３を開かれるよう制御し、第２スイッチ・トランジスタＱ２を閉じられるよう制御し、それにより、第１電力ユニット及び第２電力ユニットは、直列に出力を実行し、充電パイルは、第３動作モードに入る。出力電流は、出力電流が充電されるべきバッテリによって必要とされる充電電流を満たすことができ、更には、出力電流が充電されるべきバッテリの容量を超えないことを確かにされ得るように、調整される。
【００９１】
加えて、電力制御ユニットは、充電されるべきバッテリの充電要件を満たすために、第１電力ユニット及び第２電力ユニットの出力電圧及び出力電流を調整する。充電プロセスにおいて、第１電力ユニット及び第２電力ユニットの出力電圧は、負荷バランスを保つよう同じである。充電が終了した後、第１スイッチ・トランジスタＱ１、第２スイッチ・トランジスタＱ２、及び第３スイッチ・トランジスタＱ３の全てが開かれる。
【００９２】
従来の解決法と比較して、前述の３つの動作モードでは、異なる電力ユニットの出力電圧及び出力電流は、電力ユニットを十分に利用し且つ充電パイルが最低の費用で最適な状態で動作することを可能にするために、柔軟に組み合わされ得る。以上に基づき、異なる電動輸送機器の充電されるべきバッテリが充電電圧及び充電電流に対する異なる要件を有している場合に、充電制御モジュールは、充電されるべきバッテリの要件を特定し、充電されるべきバッテリの具体的な要件に従って３つのスイッチ・トランジスタを制御する。このようにして、充電パイルの２つの電力ユニットは、充電されるべきバッテリを充電するために、充電パイルが３つの動作モードのうちの対応する動作モードに入るように、異なる様態で接続される。
【００９３】
確かに、上述されたように、代替的に、本発明のこの実施形態で提供される充電パイル５００は、３つのスイッチ・トランジスタを含まなくてもよい。最初の２つの動作モードは、直列接続設計又は並列接続設計を使用することによって別々に実装され得る。すなわち、図５に示される様態では、第１電力ユニット及び第２電力ユニットは、第１動作モードを実装するよう並列に直接接続される。同様に、第１電力ユニット及び第２電力ユニットは、第２動作モードを実装するよう直列に直接接続され得る。すなわち、本発明のこの実施形態で提供される充電パイル６００において、電力ユニット間の直列及び並列接続は、スイッチなしで直接実装され得、詳細は再びは記載されない。
【００９４】
更に、実施形態２で提供される充電パイル５００又は６００において、第１電力ユニットのパワー・ヒーター及び第２電力ユニットのパワー・ヒーターは両方とも、ヒート・シンクに取り付けられる。このように、熱は、システム全体内にファンを配置する必要性なしで、ヒート・シンクを使用することによって放散され得る。放熱のための既存の直接換気と比べて、この方法で実行される放熱は、塵埃フィルタを必要としない。従って、費用は、システム全体の自然の放熱の実装に基づき更に削減され得る。
【００９５】
従来の充電パイルと比較して、本発明のこの実施形態で提供される充電パイル５００又は４００では、電力システムは、ＩＰ６５保護設計を使用することによって保護されてよい点が更に留意されるべきである。保護レベルＩＰ６５は保護レベルＩＰ５４よりも高いので、塵埃フィルタは、本発明のこの実施形態で提供される充電パイル５００又は６００では配置されなくてよい。従って、塵埃フィルタが定期的に交換される必要はなく、電力ユニットの故障率は有意に低下し、それによって、充電パイルの保守費用を大いに削減する。
【００９６】
図５に示される充電パイル５００において、電力システム全体は、複数の電力サブシステムを含んでもよく、夫々の電力サブシステム（図示される“電力システム”である。）は、１つの電力ユニットしか含まなくてよいことが留意されるべきである。夫々の電力サブシステムにおける電力ユニットは、スイッチ・トランジスタを使用することによって、又はスイッチ・トランジスタを使用せずに直列に又は並列に接続され、電力を充電ターミナルへ供給するよう直流分配ユニットへ接続される。すなわち、充電パイル５００における電力システムは、大規模な電力システムと見なされ得る。大規模電力システムは複数の電力ユニットを含み、夫々の電力ユニットは別個の電力サブシステムに含まれる。夫々の電力サブシステムは、電力サブシステムにおける電力ユニットの出力電圧及び出力電流を制御するよう構成される独立した電力制御ユニットを含んでよく、更には、独立したヒート・シンクのような関連する構成要素を含んでもよい。換言すれば、少なくとも２つの電力ユニットに加えて、１つの大規模電力システムは少なくとも２つの対応する電力制御ユニット、ヒート・シンク、などを含んでよい。この場合に、大規模電力システムは、特許請求の範囲で記載される電力システムと見なすことができ、詳細はここでは記載されない。
【００９７】
本発明の実施形態で提供される充電パイルは、先に詳細に記載されている。本発明の原理及び実施は、具体例を使用することによってここで記載されている。本発明の実施形態に関する記載は、単に、本発明の方法及び核となる考えを理解するのを助けるために与えられている。その上、当業者、本発明の考えに従う具体的な実施及び適用範囲に関して本発明に対して変形及び改良を行うことができる。従って、明細書の内容は、本発明を制限するよう解釈されるべきではない。
【図１】
2019533414.tif 000003
【図２】
2019533414.tif 000004
【図３】
2019533414.tif 000005
【図４】
2019533414.tif 000006
【図５】
2019533414.tif 000007
【図６】
2019533414.tif 000008
【手続補正書】
【提出日】平成31年4月23日(2019.4.23)
【手続補正１】
【補正対象書類名】特許請求の範囲
【補正対象項目名】全文
【補正方法】変更
【補正の内容】
【特許請求の範囲】
【請求項１】
電力システム及び充電ターミナルを有し、
前記電力システムは、第１電力ユニット、第２電力ユニット、電力制御ユニット、ヒート・シンク、第１スイッチ・トランジスタ、第２スイッチ・トランジスタ、及び第３スイッチ・トランジスタを有し、前記第１電力ユニット及び前記第２電力ユニットは、同じ出力電圧値Ｕ及び同じ出力電流値Ｉを有し、前記電力制御ユニットは、前記第１電力ユニット及び前記第２電力ユニットの出力電圧及び出力電流を制御するよう構成され、前記第１スイッチ・トランジスタ、前記第２スイッチ・トランジスタ、及び前記第３スイッチ・トランジスタは、前記第１電力ユニットと前記第２電力ユニットとの間の直列接続又は並列接続を実装するよう構成され、前記ヒート・シンクは、前記電力システムの熱を逃がすよう構成され、
前記充電ターミナルは、充電制御モジュール、直流分配ユニット、及び充電プラグを有し、前記充電プラグは、充電されるべきバッテリへ接続し該充電されるべきバッテリを充電するよう構成され、前記直流分配ユニットは、前記充電プラグへ電力供給を割り当てるよう構成され、前記充電制御モジュールは、前記充電に課金し表示するよう構成される、
充電パイル。
【請求項２】
前記第１スイッチ・トランジスタの第１端は、前記第１電力ユニットの第１端及び前記直流分配ユニットへ接続され、前記第１スイッチ・トランジスタの第２端は、前記第２電力ユニットの第１端へ接続され、前記第２スイッチ・トランジスタの第１端は、前記第１電力ユニットの第２端へ接続され、前記第２スイッチ・トランジスタの第２端は、前記第２電力ユニットの第１端及び前記第１スイッチ・トランジスタの第２端へ接続され、前記第３スイッチ・トランジスタの第１端は、前記第１電力ユニットの第２端及び前記第２スイッチ・トランジスタの第１端へ接続され、前記第３スイッチ・トランジスタの第２端は、前記第２電力ユニットの第２端及び前記直流分配ユニットへ接続される、
請求項１に記載の充電パイル。
【請求項３】
当該充電パイルは、３つの動作モードを有し、該３つの動作モードは、
前記第１電力ユニット及び前記第２電力ユニットが並列接続される充電モードである第１動作モードと、
前記第１電力ユニット及び前記第２電力ユニットが直列接続される充電モードである第２動作モードと、
前記第１電力ユニット及び前記第２電力ユニットが最初に並列接続され、次に直列接続されるハイブリッド充電モードである第３動作モードと
を有する、
請求項２に記載の充電パイル。
【請求項４】
前記充電プラグが前記充電されるべきバッテリへ接続される場合に、前記充電制御モジュールは、前記充電されるべきバッテリのバッテリ管理システム（ＢＭＳ）と通信し、前記充電されるべきバッテリの充電電圧及び前記充電されるべきバッテリによって必要とされる充電電流を特定し、
前記充電電圧の範囲がＵの値範囲内に入り、且つ、前記充電されるべきバッテリによって必要とされる前記充電電流が第１プリセット閾値よりも大きいか又は等しい場合に、前記充電制御モジュールは、前記電力制御ユニットと通信し、該電力制御ユニットは、前記第２スイッチ・トランジスタを開かれるよう制御し、前記第１スイッチ・トランジスタ及び前記第３スイッチ・トランジスタを閉じられるよう制御して、当該充電パイルが前記第１動作モードに入るようにする、
請求項３に記載の充電パイル。
【請求項５】
前記充電プラグが前記充電されるべきバッテリへ接続される場合に、前記充電制御モジュールは、前記充電されるべきバッテリのバッテリ管理システム（ＢＭＳ）と通信し、前記充電されるべきバッテリの充電電圧及び前記充電されるべきバッテリによって必要とされる充電電流を特定し、
前記充電電圧の範囲がＵの値範囲を越え、前記第１電力ユニット及び前記第２電力ユニットが直列接続された後に得られる出力電圧よりも小さく、且つ、前記充電されるべきバッテリによって必要とされる前記充電電流がＩよりも小さい場合に、前記充電制御モジュールは、前記電力制御ユニットと通信し、該電力制御ユニットは、前記第２スイッチ・トランジスタを閉じられるよう制御し、前記第１スイッチ・トランジスタ及び前記第３スイッチ・トランジスタを開かれるよう制御して、当該充電パイルが前記第２動作モードに入るようにする、
請求項３に記載の充電パイル。
【請求項６】
前記充電プラグが前記充電されるべきバッテリへ接続される場合に、前記充電制御モジュールは、前記充電されるべきバッテリのバッテリ管理システム（ＢＭＳ）と通信し、前記充電されるべきバッテリの充電電圧及び前記充電されるべきバッテリによって必要とされる充電電流を特定し、
前記充電電圧の範囲がＵの値範囲を越え、且つ、前記充電されるべきバッテリによって必要とされる前記充電電流がＩよりも大きい場合に、前記充電制御モジュールは、前記電力制御ユニットと通信し、該電力制御ユニットは、前記第２スイッチ・トランジスタを開かれるよう制御し、前記第１スイッチ・トランジスタ及び前記第３スイッチ・トランジスタを閉じられるよう制御し、それにより、前記第１電力ユニット及び前記第２電力ユニットは、並列に出力を実行し、前記電力制御ユニットは、前記第１電力ユニット及び前記第２電力ユニットの出力電圧を調整し、
前記充電されるべきバッテリの前記充電電圧がＵの最大値に達する場合に、前記電力制御ユニットは、前記第１スイッチ・トランジスタ及び前記第３スイッチ・トランジスタを開かれるよう制御し、前記第２スイッチ・トランジスタを閉じられるよう制御し、それにより、前記第１電力ユニット及び前記第２電力ユニットは、直列に出力を実行し、当該充電パイルは、前記第３動作モードに入る、
請求項３に記載の充電パイル。
【請求項７】
前記充電ターミナルは、前記電力システムの上又は片側に配置され、前記電力システムとともに一体型の充電パイルを形成するか、あるいは
前記充電ターミナルは、地面の上に独立して配置され、前記電力システムとともに分離型の充電パイルを形成する、
請求項１乃至６のうちいずれか一項に記載の充電パイル。
【請求項８】
前記第１スイッチ・トランジスタ、前記第２スイッチ・トランジスタ、及び前記第３スイッチ・トランジスタは、ＭＯＳＦＥＴ、ＩＧＢＴ、コンタクタ、又はリレーのうちのいずれか１つである、
請求項１乃至７のうちいずれか一項に記載の充電パイル。
【請求項９】
前記第１電力ユニットのパワー・ヒーター及び前記第２電力ユニットのパワー・ヒーターは両方とも、前記ヒート・シンクに取り付けられる、
請求項１乃至８のうちいずれか一項に記載の充電パイル。
【請求項１０】
当該充電パイルは、防水ファンを更に有し、該防水ファンは、前記電力システムの外に配置され、前記ヒート・シンクの熱を逃がすよう構成される、
請求項９に記載の充電パイル。
【請求項１１】
前記電力システムは、支持体として前記ヒート・シンクを使用することによって地面の上に配置されるか、あるいは、前記電力システムは、前記ヒート・シンクを使用することによって壁又は柱に掛けられる、
請求項１乃至１０のうちいずれか一項に記載の充電パイル。
【請求項１２】
前記電力システムは、ＩＰ６５保護設計を使用することによって保護される、
請求項１乃至１１のうちいずれか一項に記載の充電パイル。
【請求項１３】
電力システム及び充電ターミナルを有し、
前記電力システムは、第１電力ユニット、第２電力ユニット、電力制御ユニット、及びヒート・シンクを有し、前記第１電力ユニットは、前記第２電力ユニットへ接続され、前記第１電力ユニット及び前記第２電力ユニットは、同じ出力電圧値Ｕ及び同じ出力電流値Ｉを有し、前記電力制御ユニットは、前記第１電力ユニット及び前記第２電力ユニットの出力電圧及び出力電流を制御するよう構成され、前記ヒート・シンクは、前記電力システムの熱を逃がすよう構成され、
前記充電ターミナルは、充電制御モジュール、直流分配ユニット、及び充電プラグを有し、前記充電プラグは、充電されるべきバッテリへ接続し該充電されるべきバッテリを充電するよう構成され、前記直流分配ユニットは、前記充電プラグへ電力供給を割り当てるよう構成され、前記充電制御モジュールは、前記充電に課金し表示するよう構成される、
充電パイル。
【請求項１４】
前記第１電力ユニット及び前記第２電力ユニットは、並列接続されるか、あるいは、前記第１電力ユニット及び前記第２電力ユニットは、直列接続される、
請求項１３に記載の充電パイル。
【請求項１５】
当該充電パイルは、第１スイッチ・トランジスタ、第２スイッチ・トランジスタ、及び第３スイッチ・トランジスタを更に有し、前記第１スイッチ・トランジスタ、前記第２スイッチ・トランジスタ、及び前記第３スイッチ・トランジスタは、前記第１電力ユニットと前記第２電力ユニットとの間の直列接続又は並列接続を実装するよう構成され、
前記第１スイッチ・トランジスタの第１端は、前記第１電力ユニットの第１端及び前記直流分配ユニットへ接続され、前記第１スイッチ・トランジスタの第２端は、前記第２電力ユニットの第１端へ接続され、前記第２スイッチ・トランジスタの第１端は、前記第１電力ユニットの第２端へ接続され、前記第２スイッチ・トランジスタの第２端は、前記第２電力ユニットの第１端及び前記第１スイッチ・トランジスタの第２端へ接続され、前記第３スイッチ・トランジスタの第１端は、前記第１電力ユニットの第２端及び前記第２スイッチ・トランジスタの第１端へ接続され、前記第３スイッチ・トランジスタの第２端は、前記第２電力ユニットの第２端及び前記直流分配ユニットへ接続される、
請求項１４に記載の充電パイル。
【請求項１６】
当該充電パイルは、３つの動作モードを有し、該３つの動作モードは、
前記第１電力ユニット及び前記第２電力ユニットが並列接続される充電モードである第１動作モードと、
前記第１電力ユニット及び前記第２電力ユニットが直列接続される充電モードである第２動作モードと、
前記第１電力ユニット及び前記第２電力ユニットが最初に並列接続され、次に直列接続されるハイブリッド充電モードである第３動作モードと
を有する、
請求項１５に記載の充電パイル。
【請求項１７】
前記充電プラグが前記充電されるべきバッテリへ接続される場合に、前記充電制御モジュールは、前記充電されるべきバッテリのバッテリ管理システム（ＢＭＳ）と通信し、前記充電されるべきバッテリの充電電圧及び前記充電されるべきバッテリによって必要とされる充電電流を特定し、
前記充電電圧の範囲がＵの値範囲内に入り、且つ、前記充電されるべきバッテリによって必要とされる前記充電電流が第１プリセット閾値よりも大きいか又は等しい場合に、前記充電制御モジュールは、前記電力制御ユニットと通信し、該電力制御ユニットは、前記第２スイッチ・トランジスタを開かれるよう制御し、前記第１スイッチ・トランジスタ及び前記第３スイッチ・トランジスタを閉じられるよう制御して、当該充電パイルが前記第１動作モードに入るようにする、
請求項１６に記載の充電パイル。
【請求項１８】
前記充電プラグが前記充電されるべきバッテリへ接続される場合に、前記充電制御モジュールは、前記充電されるべきバッテリのバッテリ管理システム（ＢＭＳ）と通信し、前記充電されるべきバッテリの充電電圧及び前記充電されるべきバッテリによって必要とされる充電電流を特定し、
前記充電電圧の範囲がＵの値範囲を越え、前記第１電力ユニット及び前記第２電力ユニットが直列接続された後に得られる出力電圧よりも小さく、且つ、前記充電されるべきバッテリによって必要とされる前記充電電流がＩよりも小さい場合に、前記充電制御モジュールは、前記電力制御ユニットと通信し、該電力制御ユニットは、前記第２スイッチ・トランジスタを閉じられるよう制御し、前記第１スイッチ・トランジスタ及び前記第３スイッチ・トランジスタを開かれるよう制御して、当該充電パイルが前記第２動作モードに入るようにする、
請求項１６に記載の充電パイル。
【請求項１９】
前記充電プラグが前記充電されるべきバッテリへ接続される場合に、前記充電制御モジュールは、前記充電されるべきバッテリのバッテリ管理システム（ＢＭＳ）と通信し、前記充電されるべきバッテリの充電電圧及び前記充電されるべきバッテリによって必要とされる充電電流を特定し、
前記充電電圧の範囲がＵの値範囲を越え、且つ、前記充電されるべきバッテリによって必要とされる前記充電電流がＩよりも大きい場合に、前記充電制御モジュールは、前記電力制御ユニットと通信し、該電力制御ユニットは、前記第２スイッチ・トランジスタを開かれるよう制御し、前記第１スイッチ・トランジスタ及び前記第３スイッチ・トランジスタを閉じられるよう制御し、それにより、前記第１電力ユニット及び前記第２電力ユニットは、並列に出力を実行し、前記電力制御ユニットは、前記第１電力ユニット及び前記第２電力ユニットの出力電圧を調整し、
前記充電されるべきバッテリの前記充電電圧がＵの最大値に達する場合に、前記電力制御ユニットは、前記第１スイッチ・トランジスタ及び前記第３スイッチ・トランジスタを開かれるよう制御し、前記第２スイッチ・トランジスタを閉じられるよう制御し、それにより、前記第１電力ユニット及び前記第２電力ユニットは、直列に出力を実行し、当該充電パイルは、前記第３動作モードに入る、
請求項１６に記載の充電パイル。
【請求項２０】
前記電力システムは、ＩＰ６５保護設計を使用することによって保護される、
請求項１３乃至１９のうちいずれか一項に記載の充電パイル。
【手続補正２】
【補正対象書類名】明細書
【補正対象項目名】０００２
【補正方法】変更
【補正の内容】
【０００２】
電動輸送機器の大規模な使用とともに、充電パイルが広く配置されている。充電パイルは、交流充電パイルと直流充電パイルとに分類される。直流充電パイルは、種々の形態の直流充電パイルに従って、パイル−プラグ一体型充電パイル及びパイル−プラグ分離型充電パイルに分類される。図１に示されるように、パイル−プラグ一体型充電パイルは、主として、ＩＰ５４屋外キャビネット、交流配電器、直流配電器、絶縁検出部、マスタ制御部（請求計測及び充電管理）、充電モジュール、補助電源、ファン、温度コントローラ、充電プラグ、などを含む。図２に示されるように、パイル−プラグ分離型充電パイルは、一般的に、２つの部分：電力キャビネット及び充電ターミナルを含む。電力キャビネットが屋外に配置される場合には、少なくとも保護レイヤＩＰ５４を備えた屋外キャビネットが必要とされ、電力キャビネットが屋内に配置される場合には、電力キャビネットは、専用の機械室に配置される必要がある。電力キャビネットは、主として、交流から直流への変換を実装するために、充電モジュールを配置される。充電ターミナルは、一般的に屋外に配置され、充電プラグ、請求計測及びヒューマン−マシン・インターフェイス、補助電源、絶縁検出部、直流配電器、などを含む。
【手続補正３】
【補正対象書類名】明細書
【補正対象項目名】００１５
【補正方法】変更
【補正の内容】
【００１５】
第１の態様の第２の可能な実施を参照して、第１の態様の第３の可能な実施において、前記充電プラグが前記充電されるべきバッテリへ接続される場合に、前記充電制御モジュールは、前記充電されるべきバッテリのバッテリ管理システム（ＢＭＳ，battery  management  system）と通信し、前記充電されるべきバッテリの充電電圧及び前記充電されるべきバッテリによって必要とされる充電電流を特定し、前記充電電圧の範囲がＵの値範囲内に入り、且つ、前記充電されるべきバッテリによって必要とされる前記充電電流が第１プリセット閾値よりも大きいか又は等しい場合に、前記充電制御モジュールは、前記電力制御ユニットと通信し、該電力制御ユニットは、前記第２スイッチ・トランジスタを開かれるよう制御し、前記第１スイッチ・トランジスタ及び前記第３スイッチ・トランジスタを閉じられるよう制御して、当該充電パイルが前記第１動作モードに入るようにする。
【手続補正４】
【補正対象書類名】明細書
【補正対象項目名】００１６
【補正方法】変更
【補正の内容】
【００１６】
第１の態様の第２の可能な実施を参照して、第１の態様の第４の可能な実施において、前記充電プラグが前記充電されるべきバッテリへ接続される場合に、前記充電制御モジュールは、前記充電されるべきバッテリのバッテリ管理システム（ＢＭＳ）と通信し、前記充電されるべきバッテリの充電電圧及び前記充電されるべきバッテリによって必要とされる充電電流を特定し、前記充電電圧の範囲がＵの値範囲を越え、前記第１電力ユニット及び前記第２電力ユニットが直列接続された後に得られる出力電圧よりも小さく、且つ、前記充電されるべきバッテリによって必要とされる前記充電電流がＩよりも小さい場合に、前記充電制御モジュールは、前記電力制御ユニットと通信し、該電力制御ユニットは、前記第２スイッチ・トランジスタを閉じられるよう制御し、前記第１スイッチ・トランジスタ及び前記第３スイッチ・トランジスタを開かれるよう制御して、当該充電パイルが前記第２動作モードに入るようにする。
【手続補正５】
【補正対象書類名】明細書
【補正対象項目名】００１７
【補正方法】変更
【補正の内容】
【００１７】
第１の態様の第２の可能な実施を参照して、第１の態様の第５の可能な実施において、前記充電プラグが前記充電されるべきバッテリへ接続される場合に、前記充電制御モジュールは、前記充電されるべきバッテリのバッテリ管理システム（ＢＭＳ）と通信し、前記充電されるべきバッテリの充電電圧及び前記充電されるべきバッテリによって必要とされる充電電流を特定し、前記充電電圧の範囲がＵの値範囲を越え、且つ、前記充電されるべきバッテリによって必要とされる前記充電電流がＩよりも大きい場合に、前記充電制御モジュールは、前記電力制御ユニットと通信し、該電力制御ユニットは、前記第２スイッチ・トランジスタを開かれるよう制御し、前記第１スイッチ・トランジスタ及び前記第３スイッチ・トランジスタを閉じられるよう制御し、それにより、前記第１電力ユニット及び前記第２電力ユニットは、並列に出力を実行し、前記電力制御ユニットは、前記第１電力ユニット及び前記第２電力ユニットの出力電圧を調整し、前記充電されるべきバッテリの前記充電電圧がＵの最大値に達する場合に、前記電力制御ユニットは、前記第１スイッチ・トランジスタ及び前記第３スイッチ・トランジスタを開かれるよう制御し、前記第２スイッチ・トランジスタを閉じられるよう制御し、それにより、前記第１電力ユニット及び前記第２電力ユニットは、直列に出力を実行し、当該充電パイルは、前記第３動作モードに入る。
【手続補正６】
【補正対象書類名】明細書
【補正対象項目名】００３５
【補正方法】変更
【補正の内容】
【００３５】
第２の態様の第３の可能な実施を参照して、第２の態様の第４の可能な実施において、前記充電プラグが前記充電されるべきバッテリへ接続される場合に、前記充電制御モジュールは、前記充電されるべきバッテリのバッテリ管理システム（ＢＭＳ）と通信し、前記充電されるべきバッテリの充電電圧及び前記充電されるべきバッテリによって必要とされる充電電流を特定し、前記充電電圧の範囲がＵの値範囲内に入り、且つ、前記充電されるべきバッテリによって必要とされる前記充電電流が第１プリセット閾値よりも大きいか又は等しい場合に、前記充電制御モジュールは、前記電力制御ユニットと通信し、該電力制御ユニットは、前記第２スイッチ・トランジスタを開かれるよう制御し、前記第１スイッチ・トランジスタ及び前記第３スイッチ・トランジスタを閉じられるよう制御して、当該充電パイルが前記第１動作モードに入るようにする。
【手続補正７】
【補正対象書類名】明細書
【補正対象項目名】００３６
【補正方法】変更
【補正の内容】
【００３６】
第２の態様の第３の可能な実施を参照して、第２の態様の第５の可能な実施において、前記充電プラグが前記充電されるべきバッテリへ接続される場合に、前記充電制御モジュールは、前記充電されるべきバッテリのバッテリ管理システム（ＢＭＳ）と通信し、前記充電されるべきバッテリの充電電圧及び前記充電されるべきバッテリによって必要とされる充電電流を特定し、前記充電電圧の範囲がＵの値範囲を越え、前記第１電力ユニット及び前記第２電力ユニットが直列接続された後に得られる出力電圧よりも小さく、且つ、前記充電されるべきバッテリによって必要とされる前記充電電流がＩよりも小さい場合に、前記充電制御モジュールは、前記電力制御ユニットと通信し、該電力制御ユニットは、前記第２スイッチ・トランジスタを閉じられるよう制御し、前記第１スイッチ・トランジスタ及び前記第３スイッチ・トランジスタを開かれるよう制御して、当該充電パイルが前記第２動作モードに入るようにする。
【手続補正８】
【補正対象書類名】明細書
【補正対象項目名】００３７
【補正方法】変更
【補正の内容】
【００３７】
第２の態様の第３の可能な実施を参照して、第２の態様の第６の可能な実施において、前記充電プラグが前記充電されるべきバッテリへ接続される場合に、前記充電制御モジュールは、前記充電されるべきバッテリのバッテリ管理システム（ＢＭＳ）と通信し、前記充電されるべきバッテリの充電電圧及び前記充電されるべきバッテリによって必要とされる充電電流を特定し、前記充電電圧の範囲がＵの値範囲を越え、且つ、前記充電されるべきバッテリによって必要とされる前記充電電流がＩよりも大きい場合に、前記充電制御モジュールは、前記電力制御ユニットと通信し、該電力制御ユニットは、前記第２スイッチ・トランジスタを開かれるよう制御し、前記第１スイッチ・トランジスタ及び前記第３スイッチ・トランジスタを閉じられるよう制御し、それにより、前記第１電力ユニット及び前記第２電力ユニットは、並列に出力を実行し、前記電力制御ユニットは、前記第１電力ユニット及び前記第２電力ユニットの出力電圧を調整し、前記充電されるべきバッテリの前記充電電圧がＵの最大値に達する場合に、前記電力制御ユニットは、前記第１スイッチ・トランジスタ及び前記第３スイッチ・トランジスタを開かれるよう制御し、前記第２スイッチ・トランジスタを閉じられるよう制御し、それにより、前記第１電力ユニット及び前記第２電力ユニットは、直列に出力を実行し、当該充電パイルは、前記第３動作モードに入る。
【手続補正９】
【補正対象書類名】明細書
【補正対象項目名】００４４
【補正方法】変更
【補正の内容】
【００４４】
当業者に本発明における技術的解決法をより良く理解させるよう、以下は、本発明の実施形態における添付の図面を参照して、本発明の実施形態における技術的解決法について明りょうに記載する。明らかに、記載される実施形態は、本発明の実施形態の全てではなく一部にすぎない。創造的な努力なしで本発明の実施形態に基づき当業者によって獲得される他の全ての実施形態は、本発明の保護範囲の中に入るべきである。
【手続補正１０】
【補正対象書類名】明細書
【補正対象項目名】００５７
【補正方法】変更
【補正の内容】
【００５７】
１．充電プラグが充電されるべきバッテリへ接続される場合に、充電制御モジュールは、充電されるべきバッテリのバッテリ管理システム（ＢＭＳ）と通信し、充電されるべきバッテリの充電電圧及び充電されるべきバッテリによって必要とされる充電電流を特定し、充電電圧の範囲がＵの値範囲内に入り、且つ、充電されるべきバッテリによって必要とされる充電電流が第１プリセット閾値よりも大きいか又は等しい場合に、充電制御モジュールは、電力制御ユニットと通信し、電力制御ユニットは、第２スイッチ・トランジスタＱ２を開かれるよう制御し、第１スイッチ・トランジスタＱ１及び第３スイッチ・トランジスタＱ３を閉じられるよう制御して、充電パイルが第１動作モードに入るようにする。
【手続補正１１】
【補正対象書類名】明細書
【補正対象項目名】００５９
【補正方法】変更
【補正の内容】
【００５９】
２．代替的に、充電プラグが充電されるべきバッテリへ接続される場合に、充電制御モジュールは、充電されるべきバッテリのバッテリ管理システム（ＢＭＳ）と通信し、充電されるべきバッテリの充電電圧及び充電されるべきバッテリによって必要とされる充電電流を特定し、充電電圧の範囲がＵの値範囲を越え、第１電力ユニット及び第２電力ユニットが直列接続された後に得られる出力電圧よりも小さく、且つ、充電されるべきバッテリによって必要とされる充電電流がＩよりも小さい場合に、充電制御モジュールは、電力制御ユニットと通信し、電力制御ユニットは、第２スイッチ・トランジスタＱ２を閉じられるよう制御し、第１スイッチ・トランジスタＱ１及び第３スイッチ・トランジスタＱ３を開かれるよう制御して、充電パイルが第２動作モードに入るようにする。

【手続補正１２】
【補正対象書類名】明細書
【補正対象項目名】００６１
【補正方法】変更
【補正の内容】
【００６１】
３．代替的に、充電プラグが充電されるべきバッテリへ接続される場合に、充電制御モジュールは、充電されるべきバッテリのバッテリ管理システム（ＢＭＳ）と通信し、充電されるべきバッテリの充電電圧及び充電されるべきバッテリによって必要とされる充電電流を特定し、充電電圧の範囲がＵの値範囲を越え、且つ、充電されるべきバッテリによって必要とされる充電電流がＩよりも大きい場合に、充電制御モジュールは、電力制御ユニットと通信し、電力制御ユニットは、第２スイッチ・トランジスタＱ２を開かれるよう制御し、第１スイッチ・トランジスタＱ１及び第３スイッチ・トランジスタＱ３を閉じられるよう制御し、それにより、第１電力ユニット及び第２電力ユニットは、並列に出力を実行し、電力制御ユニットは、第１電力ユニット及び第２電力ユニットの出力電圧及び出力電流を調整し、充電されるべきバッテリの充電電圧がＵの最大値に達する場合に、電力制御ユニットは、第１スイッチ・トランジスタＱ１及び第３スイッチ・トランジスタＱ３を開かれるよう制御し、第２スイッチ・トランジスタＱ２を閉じられるよう制御し、それにより、第１電力ユニット及び第２電力ユニットは、直列に出力を実行し、充電パイルは、第３動作モードに入る。出力電流は、出力電流が充電されるべきバッテリによって必要とされる充電電流を満たすことができ、更には、出力電流が充電されるべきバッテリの容量を超えないことを確かにされ得るように、調整される。
【手続補正１３】
【補正対象書類名】明細書
【補正対象項目名】００７２
【補正方法】変更
【補正の内容】
【００７２】
図５は、本発明の実施形態２に従う充電パイル５００を示す。充電パイル５００は、電力システム及び充電ターミナルを含む。
【手続補正１４】
【補正対象書類名】明細書
【補正対象項目名】００８６
【補正方法】変更
【補正の内容】
【００８６】
１．充電プラグが充電されるべきバッテリへ接続される場合に、充電制御モジュールは、充電されるべきバッテリのバッテリ管理システム（ＢＭＳ）と通信し、充電されるべきバッテリの充電電圧及び充電されるべきバッテリによって必要とされる充電電流を特定し、充電電圧の範囲がＵの値範囲内に入り、且つ、充電されるべきバッテリによって必要とされる充電電流が第１プリセット閾値よりも大きいか又は等しい場合に、充電制御モジュールは、電力制御ユニットと通信し、電力制御ユニットは、第２スイッチ・トランジスタＱ２を開かれるよう制御し、第１スイッチ・トランジスタＱ１及び第３スイッチ・トランジスタＱ３を閉じられるよう制御して、充電パイルが第１動作モードに入るようにする。
【手続補正１５】
【補正対象書類名】明細書
【補正対象項目名】００８８
【補正方法】変更
【補正の内容】
【００８８】
２．代替的に、充電プラグが充電されるべきバッテリへ接続される場合に、充電制御モジュールは、充電されるべきバッテリのバッテリ管理システム（ＢＭＳ）と通信し、充電されるべきバッテリの充電電圧及び充電されるべきバッテリによって必要とされる充電電流を特定し、充電電圧の範囲がＵの値範囲を越え、第１電力ユニット及び第２電力ユニットが直列接続された後に得られる出力電圧よりも小さく、且つ、充電されるべきバッテリによって必要とされる充電電流がＩよりも小さい場合に、充電制御モジュールは、電力制御ユニットと通信し、電力制御ユニットは、第２スイッチ・トランジスタＱ２を閉じられるよう制御し、第１スイッチ・トランジスタＱ１及び第３スイッチ・トランジスタＱ３を開かれるよう制御して、充電パイルが第２動作モードに入るようにする。
【手続補正１６】
【補正対象書類名】明細書
【補正対象項目名】００９０
【補正方法】変更
【補正の内容】
【００９０】
３．代替的に、充電プラグが充電されるべきバッテリへ接続される場合に、充電制御モジュールは、充電されるべきバッテリのバッテリ管理システム（ＢＭＳ）と通信し、充電されるべきバッテリの充電電圧及び充電されるべきバッテリによって必要とされる充電電流を特定し、充電電圧の範囲がＵの値範囲を越え、且つ、充電されるべきバッテリによって必要とされる充電電流がＩよりも大きい場合に、充電制御モジュールは、電力制御ユニットと通信し、電力制御ユニットは、第２スイッチ・トランジスタＱ２を開かれるよう制御し、第１スイッチ・トランジスタＱ１及び第３スイッチ・トランジスタＱ３を閉じられるよう制御し、それにより、第１電力ユニット及び第２電力ユニットは、並列に出力を実行し、電力制御ユニットは、第１電力ユニット及び第２電力ユニットの出力電圧及び出力電流を調整し、充電されるべきバッテリの充電電圧がＵの最大値に達する場合に、電力制御ユニットは、第１スイッチ・トランジスタＱ１及び第３スイッチ・トランジスタＱ３を開かれるよう制御し、第２スイッチ・トランジスタＱ２を閉じられるよう制御し、それにより、第１電力ユニット及び第２電力ユニットは、直列に出力を実行し、充電パイルは、第３動作モードに入る。出力電流は、出力電流が充電されるべきバッテリによって必要とされる充電電流を満たすことができ、更には、出力電流が充電されるべきバッテリの容量を超えないことを確かにされ得るように、調整される。
【手続補正１７】
【補正対象書類名】図面
【補正対象項目名】図３
【補正方法】変更
【補正の内容】
【図３】
2019533414.tif 000009
【手続補正１８】
【補正対象書類名】図面
【補正対象項目名】図４
【補正方法】変更
【補正の内容】
【図４】
2019533414.tif 000010
【手続補正１９】
【補正対象書類名】図面
【補正対象項目名】図５
【補正方法】変更
【補正の内容】
【図５】
2019533414.tif 000011
【手続補正２０】
【補正対象書類名】図面
【補正対象項目名】図６
【補正方法】変更
【補正の内容】
【図６】
2019533414.tif 000012
【国際調査報告】
2019533414.tif 000013
2019533414.tif 000014
2019533414.tif 000015
2019533414.tif 000016